(57)【特許請求の範囲】
【請求項１】
ロッドと、前記ロッドに外嵌されるカバーとを用いて毛髪にウェーブを形成する方法であって、
前記ロッドと前記カバーとの間に毛束を挟持した後、前記ロッドおよびカバーを毛先に向けてスライドさせることにより、毛先を前記ロッドと前記カバーとの間に引き込む装着ステップと、
前記ロッドを前記カバーと共に回転させて、前記カバーの外周面に毛束を巻き付ける巻付ステップと、
前記カバーを覆うように弾性の保持体を前記ロッドに装着して、前記カバーに巻き付けられた毛束を固定する固定ステップとを備え、
前記カバーは、円弧状に形成されており、周方向両端部にそれぞれ複数のスリットを有し、
前記装着ステップは、前記ロッドおよびカバーを毛束に沿ってスライドさせる際に、毛髪を前記スリット内に保持する毛髪のウェーブ形成方法。
【請求項２】
前記カバーは、前記ロッドの一端側に回動自在に取り付けられており、
前記保持体は、帯状に形成され、基端部が前記ロッドの他端側に取り付けられており、先端部を前記ロッドの一端側に着脱自在に装着することができる請求項１に記載の毛髪のウェーブ形成方法。
【請求項３】
前記ロッドは、本体に回転可能に支持されて前記カバーとの間に毛束を挟持する回転体を備える請求項１または２に記載の毛髪のウェーブ形成方法。
【発明の詳細な説明】
【技術分野】
【０００１】
本発明は、毛髪にウェーブを形成する毛髪のウェーブ形成方法に関する。
【背景技術】
【０００２】
従来のウェーブ形成方法として、毛髪をペーパーと共にロッドに巻きつけてパーマネントウェーブを形成する方法が知られている。例えば、特許文献１には、ロッドにペーパーを挟みながら髪の毛先から根元に向けて巻いていき、途中でこのロッドを被覆するように大径のカーラを装着し、カーラを髪の根元方向に巻いていく方法が開示されている。
【先行技術文献】
【特許文献】
【０００３】
【特許文献１】特開平１０−４２９３１号公報
【発明の概要】
【発明が解決しようとする課題】
【０００４】
ところが、従来のウェーブ形成方法は、毛髪の毛先をペーパーと共にロッドに巻きつける際に、毛髪およびペーパーを重ね合わせてテンションをかけながら一方の手の指の間に挟持し、この状態を保持しながら他方の手でロッドを巻き付けていく必要があるため、ウェーブの形成作業が困難で熟練を要するという問題があった。
【０００５】
そこで、本発明は、毛髪に対するウェーブの形成を迅速容易に行うことができる毛髪のウェーブ形成方法の提供を目的とする。
【課題を解決するための手段】
【０００６】
本発明の前記目的は、ロッドと、前記ロッドに外嵌されるカバーとを用いて毛髪にウェーブを形成する方法であって、前記ロッドと前記カバーとの間に毛束を挟持した後、前記ロッドおよびカバーを毛先に向けてスライドさせることにより、毛先を前記ロッドと前記カバーとの間に引き込む装着ステップと、前記ロッドを前記カバーと共に回転させて、前記カバーの外周面に毛束を巻き付ける巻付ステップと、前記カバーを覆うように弾性の保持体を前記ロッドに装着して、前記カバーに巻き付けられた毛束を固定する固定ステップとを備え、前記カバーは、円弧状に形成されており、周方向両端部にそれぞれ複数のスリットを有し、前記装着ステップは、前記ロッドおよびカバーを毛束に沿ってスライドさせる際に、毛髪を前記スリット内に保持する毛髪のウェーブ形成方法により達成される。
【０００８】
前記カバーは、前記ロッドの一端側に回動自在に取り付けられていることが好ましく、前記保持体は、帯状に形成され、基端部が前記ロッドの他端側に取り付けられており、先端部を前記ロッドの一端側に着脱自在に装着できることが好ましい。
【０００９】
また、前記ロッドは、本体に回転可能に支持されて前記カバーとの間に毛束を挟持する回転体を備えることが好ましい。
【発明の効果】
【００１０】
本発明によれば、毛髪に対するウェーブの形成を迅速容易に行うことができる毛髪のウェーブ形成方法を提供することができる。
【図面の簡単な説明】
【００１１】
【図１】本発明の一実施形態に係る毛髪のウェーブ形成方法に用いるウェーブ形成器具の正面図である。
【図２】図１に示すウェーブ形成器具の側面図であり、（ａ）は装着前の状態、（ｂ）は装着後の状態を、それぞれ示している。
【図３】本発明の一実施形態に係る毛髪のウェーブ形成方法の装着ステップを説明するための斜視図である。
【図４】本発明の一実施形態に係る毛髪のウェーブ形成方法の巻付ステップおよび固定ステップを説明するための斜視図である。
【図５】本発明の他の実施形態に係る毛髪のウェーブ形成方法に用いるウェーブ形成器具の正面図である。
【図６】本発明の更に他の実施形態に係る毛髪のウェーブ形成方法に用いるウェーブ形成器具の正面図である。
【発明を実施するための形態】
【００１２】
以下、本発明の実施の形態について、添付図面を参照して説明する。図１は、本発明の一実施形態に係る毛髪のウェーブ形成方法に用いるウェーブ形成器具の正面図である。図１に示すように、ウェーブ形成器具１は、ロッド１０、カバー２０、および保持体３０を、主な構成要素として備えている。
【００１３】
ロッド１０は、合成樹脂等からなる円柱状の本体１１と、本体１１の外周面全体に設けられた起毛シート１２とを備えている。起毛シート１２は、不織布を起毛処理してなるものであり、毛髪の滑り止めと共に、パーマネント液などの薬液を浸透させて全体に分散させることができる。起毛シート１２の代わりに、シリコーンゴム製のシートなど滑り止め性能に優れる他のシート材を用いてもよい。また、本体１１の表面にシート材を巻回する代わりに、本体１１の材料として摩擦係数の高いものを使用したり、本体１１の表面に滑り止め加工を施す等して、ロッド１０がシート材を備えない構成にすることも可能である。ロッド１０の両端には、それぞれ取付部１４および係止突部１６が設けられている。
【００１４】
カバー２０は、合成樹脂等から形成された可撓性を有する半円筒状等の側面視円弧状の部材であり、内周面が平滑に形成されている。カバー２０の周方向の両端部には、複数のスリット２２が櫛状に形成されている（図１では、周方向一端部のスリット２２のみが示されている）。また、カバー２０には、パーマネント液などの薬液が通過する貫通孔２４が、適宜形成されている。
【００１５】
カバー２０は、矢示のようにロッド１０の外周面に対して径方向に装着することが可能であり、カバー２０自体の撓み変形により、ロッド１０の外周面全体に密着して保持されるように形成されている。カバー２０の内径は、ロッド１０の外径と略同じ長さであることが好ましく、カバー２０の内周長さは、カバー２０がロッド１０に確実に保持されるように、ロッド１０の外周の半周分から全周分の間の長さであることが好ましい。カバー２０の長さは特に限定されないが、カバー２０の表面に毛髪を確実に巻き付けることができるようになるべく長いことが好ましく、ロッド１０の長さと略同じであることが好ましい。
【００１６】
保持体３０は、ゴム等の弾性材料からなる帯状の部材であり、一端側の取付孔３２がロッド１０の取付部１４に取り付けられている。保持体３０の他端側には係合孔３４が形成されており、保持体３０の他端部を矢示方向に移動させて保持体３０を弾性伸長させることにより、係合孔３４を係止突部１６に係止させることができる。保持体３０は、本実施形態では主として他端部を操作することにより、ロッド１０に対する着脱を行うように構成しているが、保持体３０の両端部を、それぞれロッド１０の両端部に対して容易に着脱できるように構成してもよい。保持体３０は、従来と同様に輪ゴムなどを使用することも可能である。
【００１７】
上記の構成を備えるウェーブ形成器具１は、図２（ａ）に側面図で示すように、ロッド１０およびカバー２０が分離された状態から、カバー２０をロッド１０に外嵌した後、図２（ｂ）に示すように保持体３０の係合孔３４をロッド１０の係止突部１６に係止させることにより、カバー２０を覆うように保持体３０をロッド１０に装着することができる。
【００１８】
次に、上記のウェーブ形成器具１を用いた毛髪のウェーブ形成方法を説明する。まず、図３（ａ）に示すように、ウェーブを形成しようとする箇所の毛束Ｂを取り、一方の手で毛束Ｂの途中をロッド１０の上部に押し当てた状態で、他方の手でカバー２０を上方から装着することにより、図３（ｂ）に示すように、ロッド１０とカバー２０との間に毛束Ｂを挟持する。次に、ロッド１０およびカバー２０を手前側（図３（ｂ）の矢示方向）に引っ張ることにより、毛束Ｂにテンションをかける。カバー２０は、弾性変形により径方向外方に拡がることができるため、ロッド１０およびカバー２０を毛束Ｂに沿って毛先に向けてスライドさせることができる。これにより、図３（ｃ）に示すように、毛束Ｂの毛先がロッド１０とカバー２０との間に引き込まれる。毛束Ｂに対するパーマネント液の塗布は、毛束Ｂをロッド１０とカバー２０との間に挟持する前に行ってもよく、あるいは、毛束Ｂをロッド１０とカバー２０との間に挟持した後、カバー２０に形成された貫通孔２４を介してパーマネント液を供給することにより行ってもよい。更には、パーマネント液などの薬液を使用せずに、毛束Ｂに緩いウェーブを形成することも可能である。
【００１９】
ついで、図４（ａ）に示すように、カバー２０を押圧しながらロッド１０およびカバー２０を回転させて、毛束Ｂをカバー２０の周囲に巻き付けていく。毛束Ｂの毛先はロッド１０とカバー２０との間に引き込まれているため、毛先の折れを確実に防止することができると共に、ロッド１０の表面と毛先との間に作用する摩擦力によって毛先の滑りを防止して、巻き始めをスムーズに行うことができる。そして、ウェーブを形成しようとする箇所まで毛束Ｂを巻き付けた後、図４（ｂ）に示すように、カバー２０に巻き付けられた毛束Ｂを一方の手で保持しながら、他方の手でこの毛束Ｂを覆うように保持体３０の他端部を引っ張り、図４（ｃ）に示すように、ロッド１０の係止突部１６に保持体３０の係合孔３４を係止させる。こうして、カバー２０に巻き付けられた毛束Ｂを固定することができる。保持体３０は、毛束Ｂに固定跡が残らない程度に幅広のものを使用することが好ましい。
【００２０】
本実施形態の毛髪のウェーブ形成方法によれば、従来困難であった毛束Ｂの毛先へのロッド１０の取り付けを、ロッド１０およびカバー２０で毛束Ｂを挟持した後に毛先に向けてスライドさせることにより、作業の熟練を要することなく迅速容易に行うことができ、毛髪の巻き付けに要する時間を短縮することができる。
【００２１】
カバー２０の周方向両端には、本実施形態のように複数のスリット２２が形成されていることが好ましく、これによって、ロッド１０およびカバー２０を毛束Ｂに沿ってスライドさせる際に、毛髪をスリット２２内に保持して毛髪がロッド１０の両側から脱落するのを防止することができると共に、毛束Ｂの毛先を整えて所望のウェーブ形状を容易に得ることができる。
【００２２】
カバー２０は、本実施形態ではロッド１０から取り外し可能に構成しているが、図５に示すように、回動ピン、ガイドリング、薄肉部などからなる回動部２６を介して、カバー２０の端部をロッドの一端側に回動自在に取り付けてもよい。この構成によれば、カバー２０を破線で示す位置から矢示方向に回動させてロッド１０に押し付けることにより、ロッド１０に容易に装着することができるので、一連の作業をより効率良く行うことができ、作業時間の更なる短縮を図ることができる。カバー２０の回動範囲は特に限定されないが、毛束Ｂをロッド１０に合わせる際にカバー２０が邪魔にならないことが好ましく、例えば、ロッド１０に対してカバー２０を水平まで開くことができるように（すなわち、回動範囲が約１８０度となるように）構成することが好ましい。なお、カバー２０を回動させたときの係止突部１６との干渉を防止するため、カバー２０の一部に切り欠きを形成してもよい。
【００２３】
また、ロッド１０は、図６に示すように、円柱状の本体１１に対して、円筒状の回転体１８が回転自在に外嵌された構成であってもよい。図６において、本体１１は、軸方向両端部の径に対して中央部の径が小さくなるように形成されており、この小径部分に回転体１８が支持されている。回転体１８の外周面には、図１に示す構成と同様に、起毛シートやゴムシートなどを巻き付ける等して、滑り止め処理を行うことが好ましい。また、カバー２０は、ロッド１０の全体を覆う長さとされており、両端部がロッド１０の本体１１の両端部と重なるように装着される。
【００２４】
この構成によれば、図３（ｂ）に示すように、毛束Ｂを挟持したロッド１０およびカバー２０を毛束Ｂに沿ってスライドさせる際に、カバー２０の内周面は平滑である一方、ロッド１０は回転体１８が回転可能であるため、毛束Ｂがロッド１０とカバー２０との間をスムーズに通過することができ、毛束Ｂが過度に引っ張られるのを確実に防止することができる。なお、図６において図１と同様の構成部分には、同一の符号を付している。
【００２５】
図６に示す構成において、カバー２０は、内周面の一端部に支軸突起２９が設けられており、ロッド１０の本体１１の両端部には、この支軸突起２９が嵌合可能な取付孔１９，１９が設けられている。この構成によれば、カバー２０をロッド１０から取り外し可能であると共に、取付孔１９，１９のいずれか一方を選択して支軸突起２９を嵌合させることにより、使用者が回動させたい方向にカバー２０を回動させることも可能になり、作業性を向上させることができる。
【符号の説明】
【００２６】
１  ウェーブ形成器具
１０  ロッド
２０  カバー
２２  スリット
３０  保持体
Ｂ  毛束
【要約】
【課題】  毛髪に対するウェーブの形成を迅速容易に行うことができる毛髪のウェーブ形成方法を提供する。
【解決手段】  ロッド１０と、ロッド１０に外嵌されるカバー２０とを用いて毛髪にウェーブを形成する方法であって、ロッド１０とカバー２０との間に毛髪の途中を挟持し、毛髪にテンションをかけてロッド１０およびカバー２０を毛先に向けてスライドさせることにより、毛先をロッド１０とカバー２０との間に引き込む装着ステップと、ロッド１０をカバー２０と共に回転させて、カバー２０の外周面に毛髪を巻き付ける巻付ステップと、カバー２０を覆うように弾性の保持体３０をロッド１０に装着して、カバー２０に巻き付けられた毛髪を固定する固定ステップとを備える。
【選択図】  図１【図１】
0005512867.tif 000002
【図２】
0005512867.tif 000003
【図５】
0005512867.tif 000004
【図６】
0005512867.tif 000005
【図３】
0005512867.tif 000006
【図４】
0005512867.tif 000007